(57)【特許請求の範囲】
【請求項１】
ＰＣＢ混入絶縁油に含まれる不純物をろ過するろ過器と、該ろ過器を廃棄物、廃液及び排水を発生させることなく逆洗する逆洗装置とを備える油浄化装置と、
前記油浄化装置で浄化されたＰＣＢ混入絶縁油及び／又は前記油浄化装置で浄化されたＰＣＢ混入絶縁油を含むＰＣＢ混入絶縁油を金属ナトリウムと反応させＰＣＢを無害化する無害化処理装置とを備え、
前記不純物が紙木類乾留物であり、
前記逆洗装置は、前記ろ過器に逆洗用の水を供給する逆洗水供給手段と、逆洗後の不純物を含む水を電気分解する電解装置とを含み、
逆洗用の水は、逆洗後の不純物を含む水を電気分解した水であり、水を循環使用し系外に排出しないことを特徴とするＰＣＢ混入絶縁油の無害化処理設備。
【請求項２】
前記水は、硫酸塩、炭酸塩、塩化ナトリウムのうち１種以上の電解質を含み、前記電気分解で過酸化物又は次亜塩素酸が生成し、該過酸化物又は次亜塩素酸が前記不純物を酸化分解することを特徴とする請求項１に記載のＰＣＢ混入絶縁油の無害化処理設備。
【請求項３】
前記紙木類乾留物は、ＰＣＢ汚染物を真空加熱し回収される回収絶縁油に含まれ、前記ＰＣＢ混入絶縁油に該回収絶縁油が含まれることを特徴とする請求項１又は２に記載のＰＣＢ混入絶縁油の無害化処理設備。
【発明の詳細な説明】
【技術分野】
【０００１】
本発明は、ＰＣＢ混入絶縁油を金属ナトリウムで無害化するＰＣＢ混入絶縁油の無害化処理設備に関する。
【背景技術】
【０００２】
ＰＣＢ（ポリ塩化ビフェニル）は、不燃性で化学安定性及び電気絶縁性に優れるため、従来、電気機器の絶縁油などとして使用されていたが、その有害性から現在では使用が禁止され、保管されているＰＣＢ及びＰＣＢを含有する廃油などについても、平成１３年に制定された「ポリ塩化ビフェニル廃棄物の適正な処理の推進に関する特別措置法（ＰＣＢ特措法）」により、平成２８年７月までに処理を完了することが義務付けられている。
【０００３】
ＰＣＢの脱塩素化技術は、これまでに多くの方法が提案されており、幾つかの方法は実用化されている。金属ナトリウムとＰＣＢとを反応させＰＣＢを脱塩素化させる方法は、ＰＣＢ混入絶縁油の無害化処理に使用され、処理プラントも稼働中である。金属ナトリウムとＰＣＢとを反応させるとＰＣＢが脱塩素化され、ビフェニル、塩化ナトリウム、ビフェニルが重合したビフェニル重合物、水酸化ナトリウムが生成するが、この生成物に関しては幾つかの問題が指摘され、これに対する対策案が提案されている（例えば特許文献１参照）。
【０００４】
また不純物を含むＰＣＢ混入絶縁油を処理すると処理設備、処理プロセスに悪影響を及ぼす。例えば、ＰＣＢ混入絶縁油を抜き出した後に柱上変圧器を破砕しこれを真空加熱し回収される留出液には水溶性の有機酸が含まれ、これが配管を腐食させることがある。またＰＣＢと金属ナトリウムとを反応させるに先立ち行なわれる被処理油中の水分除去操作により、タール状のスラッジが析出し、これがストレーナを閉塞させることがある。これに対し本出願人は、既に有機酸を除去する装置を開発し特許出願中である（特願２００８−３１８１１４）。またＰＣＢ汚染物を真空加熱し回収される回収物には、ＰＣＢを含む炭化水素系油状物の他、熱分解生成物である木酢液、タール状物質が含まれ、これらがＰＣＢの分解処理に悪影響を及ぼすとし、ＰＣＢの分解処理に先立ち、蒸留操作により低沸点熱分解生成物を除去し、さらに吸着剤を使用しタール状物質を吸着除去する技術が提案されている（例えば特許文献２参照）。
【先行技術文献】
【特許文献】
【０００５】
【特許文献１】特開２００５−３１９４１５号公報
【特許文献２】特開２００４−１７４２９４号公報
【発明の概要】
【発明が解決しようとする課題】
【０００６】
上記以外に不純物を含むＰＣＢ混入絶縁油を金属ナトリウムで無害化処理すると、反応槽内にスケールが析出し、これが剥離し配管を閉塞させる、さらには金属ナトリウムの消費量が多くなる等の問題が発生する。以上のように不純物を含むＰＣＢ混入絶縁油を無害化処理するとき、無害化処理設備、運転に多くのトラブル又は悪影響が発生するが、これまでこのような問題点は指摘されておらず、これらを効果的に防止する方法の開発が待たれている。上記問題を解決する手段が廃棄物、廃液又は排水を発生させるとこれらに対する新たなＰＣＢ汚染対策が必要となるため、上記問題を解決する手段は、廃棄物、廃液及び排水を発生することなく上記問題を解決できることが非常に重要である。
【０００７】
本発明の目的は、廃棄物、廃液及び排水を発生させることなく不純物を含むＰＣＢ混入絶縁油を浄化し、ＰＣＢ混入絶縁油の無害化処理を安定的に行うことが可能でかつ金属ナトリウムの消費量を低減可能なＰＣＢ混入絶縁油の無害化処理設備を提供することである。
【課題を解決するための手段】
【０００８】
本発明者らは、鋭意検討を重ねた結果、ＰＣＢ混入絶縁油の無害化処理において、不純物を含むＰＣＢ混入絶縁油を被処理油とするとき発生する種々のトラブル、悪影響は、被処理油に含まれる酸化変質油に起因し、この酸化変質油を取り除くことでトラブル、悪影響を抑制することができること、この酸化変質油は凝集しやすいため大半が１μｍ以上に成長しろ過器でろ過できること、さらにろ過器を廃棄物、廃液及び排水を発生させることなく逆洗する手段を見出し、本発明を完成するに至った。
【０００９】
すなわち本発明は、ＰＣＢ混入絶縁油に含まれる不純物をろ過するろ過器と、該ろ過器を廃棄物、廃液及び排水を発生させることなく逆洗する逆洗装置とを備える油浄化装置と、前記油浄化装置で浄化されたＰＣＢ混入絶縁油及び／又は前記油浄化装置で浄化されたＰＣＢ混入絶縁油を含むＰＣＢ混入絶縁油を金属ナトリウムと反応させＰＣＢを無害化する無害化処理装置とを備え、前記不純物が紙木類乾留物であり、前記逆洗装置は、前記ろ過器に逆洗用の水を供給する逆洗水供給手段と、逆洗後の不純物を含む水を電気分解する電解装置とを含み、逆洗用の水は、逆洗後の不純物を含む水を電気分解した水であり、水を循環使用し系外に排出しないことを特徴とするＰＣＢ混入絶縁油の無害化処理設備である。
【００１１】
また本発明において、前記水は、硫酸塩、炭酸塩、塩化ナトリウムのうち１種以上の電解質を含み、前記電気分解で過酸化物又は次亜塩素酸が生成し、該過酸化物又は次亜塩素酸が前記不純物を酸化分解することを特徴とする。
【００１３】
また本発明において、前記紙木類乾留物は、ＰＣＢ汚染物を真空加熱し回収される回収絶縁油に含まれ、前記ＰＣＢ混入絶縁油に該回収絶縁油が含まれることを特徴とする。
【発明の効果】
【００１４】
本発明に係るＰＣＢ混入絶縁油の無害化処理設備は、ＰＣＢ混入絶縁油中の不純物をろ過する油浄化装置を有するので不純物が除去又は低減され、不純物が除去又は低減されたＰＣＢ混入絶縁油を金属ナトリウムと反応させることが可能となる。これにより従来見られた不純物に起因する無害化処理設備及び運転上のトラブルを解消又は低減させ、ＰＣＢ混入絶縁油の無害化処理を安定的に行うことができる。さらに金属ナトリウムの消費量を低減させることができる。また前記油浄化装置は、不純物をろ過するろ過器を逆洗する逆洗装置を備えるので油浄化性能が維持され、さらにろ過器の逆洗を廃棄物、廃液及び排水を発生させることなく行うことができるので、新たな廃棄物、廃液及び排水処理対策が不要であり実用的である。
【図面の簡単な説明】
【００１５】
【図１】本発明の実施の一形態であるＰＣＢ混入絶縁油無害化処理設備１の概略的構成を示す図である。
【図２】図１のＰＣＢ混入絶縁油無害化処理設備１の油浄化装置５０の概略的構成を示す図である。
【図３】紙木類乾留物を含む絶縁油と紙木類乾留物を含まない絶縁油をフーリエ変換赤外分光法ＦＴＩＲで分析した結果を示す図である。
【図４】ＰＣＢ微量混入絶縁油を無害化するときに添加する金属ナトリウム量と残留ＰＣＢ濃度との関係を示す図である。
【発明を実施するための形態】
【００１６】
図１は、本発明の実施の一形態であるＰＣＢ混入絶縁油無害化処理設備１の概略的構成を示す図である。図２は、ＰＣＢ混入絶縁油無害化処理設備１の油浄化装置５０の概略的構成を示す図である。
【００１７】
ＰＣＢ混入絶縁油無害化処理設備１は、ＰＣＢ混入絶縁油、さらにはＰＣＢ汚染物に付着するＰＣＢ混入絶縁油を回収し、これらを金属ナトリウムで無害化する設備であり、ＰＣＢ汚染物を真空加熱し汚染物に付着する絶縁油を回収する絶縁油回収装置２と、絶縁油回収装置２で回収される回収絶縁油及び柱上変圧器から抜き出されたＰＣＢ混入絶縁油等を無害化する無害化処理装置３と、回収絶縁油を浄化する油浄化装置５０とを含み構成される。油浄化装置５０を除いた他の装置は、従来から使用されているＰＣＢ混入絶縁油無害化処理設備と基本的に同じ構成である。柱上変圧器に充填されたＰＣＢ微量混入絶縁油及び柱上変圧器に付着するＰＣＢ微量混入絶縁油を回収し、これらを無害化処理する場合を例に採り、まず油浄化装置５０を除いたＰＣＢ混入絶縁油無害化処理設備の構成、無害化処理プロセス、従来、酸化変質油を含むＰＣＢ混入絶縁油を処理するとき発生していたトラブル、悪影響について説明し、続いて油浄化装置５０の構成及び作用効果について説明する。
【００１８】
絶縁油回収装置２は、ＰＣＢ汚染物を真空加熱し汚染物に付着する絶縁油を回収する装置であり、ＰＣＢ汚染物を真空加熱する真空加熱炉１１、真空加熱炉１１で蒸発させた絶縁油等を凝縮させる凝縮器１３、凝縮器１３で凝縮回収した凝縮液に含まれる水を分離する油水分離器１５及び回収絶縁油を貯蔵する回収油貯蔵タンク１７を含む。
【００１９】
ＰＣＢ汚染物である柱上変圧器は、ＰＣＢ微量混入絶縁油を抜き出した後、解体、破砕されケース、銅線、金具、碍子、紙木などに分けられた後、各々真空加熱炉１１に投入される。真空加熱炉１１内は加熱され、さらに真空ポンプを含む減圧装置により減圧状態となっている。ケース等に付着するＰＣＢを含む絶縁油は、真空加熱炉１１内で蒸発し、凝縮器１３で冷却され凝縮した後、油水分離器１５に送られる。柱上変圧器は、銅線、金具などの金属のほか紙木を含むため、真空加熱炉１１で加熱されるとＰＣＢを含む絶縁油のほか、紙木が乾留されこれらが凝縮液となって油水分離器１５に送られる。このため凝縮液には、ＰＣＢを含む絶縁油のほか水、紙木類乾留物を含む。油水分離器１５では凝縮液が静置され比重差により油相と水相とに分離され、油相は、回収絶縁油として回収油貯蔵タンク１７に送られる。なお回収絶縁油にはＰＣＢを含む絶縁油の他、紙木類乾留物及び少量の水が含まれる。回収油貯蔵タンク１７の回収絶縁油は、タンクローリー１９で無害化処理装置３の処理タンク２１に送られる。
【００２０】
無害化処理装置３は、ＳＰプロセス（soduim pulverulent dispersion）法を用いてＰＣＢ混入絶縁油を無害化する装置であり、金属ナトリウムとＰＣＢとを反応させＰＣＢを脱塩素化する。無害化処理装置３は、被処理油を貯蔵する処理タンク２１、被処理油に含まれる水を除去する減圧蒸留槽２３、ＰＣＢを金属ナトリウムと反応させ脱塩素化する反応槽２５、ＰＣＢの脱塩素化を確認するための分解確認槽２７、処理済油に含まれる残存金属ナトリウムを水和させ、さらに中和する抽出中和槽３１、処理済油と水とを分離する油水分離槽３３、水を回収する洗浄水再生設備３５を備える。
【００２１】
被処理油は、柱上変圧器から抜き出されたＰＣＢ微量混入絶縁油、又は柱上変圧器から抜き出されたＰＣＢ微量混入絶縁油と絶縁油回収装置２で回収される回収絶縁油との混合物であり、これらは処理タンク２１に貯蔵された後、減圧蒸留槽２３に送られる。
【００２２】
減圧蒸留槽２３は、ジャケット付き攪拌槽であり、ジャケットに加熱した熱媒を供給することで被処理油を加熱する。また減圧蒸留槽２３は、槽内を減圧し被処理油に含まれる水を蒸発させ凝縮し回収する減圧装置（図示を省略）を備え、処理タンク２１から送られた被処理油は、ここで９０℃程度に加熱、０．０１４２Ｍｐａ程度に減圧され、被処理油に含まれる水が除去される。減圧蒸留槽２３で水分が除去された被処理油は反応槽２５に送られる。
【００２３】
反応槽２５は、ジャケット付き攪拌槽であり、ここで減圧蒸留槽２３で水分が除去された被処理油に金属ナトリウムが添加される。金属ナトリウムは、絶縁油中に金属ナトリウムの微粒子を分散させた金属ナトリウム分散体（ＳＤ：soduim dispersion）として反応槽２５に添加される。被処理油と金属ナトリウムとは、攪拌されながらジャケットに供給される加熱した熱媒により９０℃程度まで加熱され、ＰＣＢは金属ナトリウムと反応し脱塩素化し、被処理油は無害化される。なお、金属ナトリウム分散体を添加し所定の時間経過後に、反応促進剤として所定量の水が添加される。反応槽２５の気相部には窒素ガスが供給されている。
【００２４】
反応槽２５でＰＣＢが脱塩素化された被処理油（処理済油）は、分解確認槽２７に送られ、サンプリングライン２９を介してサンプリングされ、処理済油中のＰＣＢ濃度が所定の濃度以下になっているか確認される。ここでＰＣＢが所定濃度以下に達していないことが確認されると、処理済液を反応槽２５に返送し再度、ＰＣＢの脱塩素化を行う。処理済油は、ＰＣＢ濃度が所定の濃度以下であることが確認されると冷却され、その後に抽出中和槽３１に送られる。
【００２５】
分解確認槽２７から送られる処理済油は、抽出中和槽３１で多量の水と混合され、処理済油中に残存する金属ナトリウムが水和される。さらに金属ナトリウムが水和され生成した水酸化ナトリウムを中和させるための炭酸ガスが吹き込まれ所定のｐＨに調整された後、油水分離槽３３に送られる。
【００２６】
油水分離槽３３に送られる多量の水を含む処理済油は、油水分離槽３３で静置され比重差により油相３７と水相３９とに分離される。上層の油相３７は、処理済油タンク４１に送られ貯蔵される。一方、下層の水相３９は、水を回収する洗浄水再生設備３５に送られる。
【００２７】
洗浄水再生設備３５は、乾燥機４３を備え、水を蒸発させ回収すると共に水に含まれる塩化ナトリウム等を蒸発乾固させる。油水分離槽３３から送られる水は静置分離水受槽４５に一度、貯留された後、乾燥機４３に送られ加熱される。蒸発した水は、凝縮器４７で凝縮し凝縮水槽４９に貯留される。この水は抽出中和槽３１に送られ、金属ナトリウムを水和させるための水として使用される。一方、水に溶解していた塩化ナトリウム等は乾燥汚泥として回収される。このように無害化設備３は、水を系外に排出しないクローズドシステムとなっている。
【００２８】
ＰＣＢ微量混入絶縁油を抜き出した後の柱上変圧器を破砕しこれを真空加熱し回収される回収絶縁油が含まれるＰＣＢ微量混入絶縁油を被処理油とする場合、被処理油には、Ｃ＝Ｏ結合及びＣ−Ｏ結合を含む酸化変質油が含まれる。Ｃ＝Ｏ結合及びＣ−Ｏ結合を含む酸化変質油が含まれるのは、柱上変圧器に紙、木が含まれ、これらの乾留物が回収絶縁油に含まれることによる。図３は、紙木類乾留物を含む絶縁油と紙木類乾留物を含まない絶縁油をフーリエ変換赤外分光法ＦＴＩＲで分析した結果を示す図である。紙木類乾留物を含む絶縁油にはＣ＝Ｏのピーク１７５０ｃｍ−１が強く表れている。Ｃ＝Ｏ結合を含む酸化変質油としては、カルボン酸、エステル、アルデヒド、ケトンがある。酸化変質油はカルボン酸、アルコール類など水溶性の酸化変質油、非水溶性の酸化変質油を含み、極性が強いため、一部の酸化変質油は時間経過と共に酸化変質油同士が凝集、合体しスラッジとなり析出する。
【００２９】
油浄化装置５０を備えない従来のＰＣＢ混入絶縁油無害化処理設備を用いて酸化変質油を含むＰＣＢ混入絶縁油を処理する場合、析出するスラッジはタール状で粘性が高いため、例えば回収油貯蔵タンク１７から回収絶縁油を払出すラインに設けられたストレーナ（図示を省略）を閉塞させる。また酸化変質油に含まれる酸性成分又はスラッジは被処理油中の水と交わり酸性を呈するため、例えば回収油貯蔵タンク１７から回収絶縁油を払出すラインの配管等を腐食させる。さらに減圧蒸留槽２３で水分を除去すると水溶性の酸化変質油もスラッジとなって析出し、減圧蒸留槽２３と反応槽２５を結ぶラインに設けられたストレーナ（図示を省略）を閉塞させる。また酸化変質油を含むＰＣＢ微量混入絶縁油を被処理油とし、これを金属ナトリウムさらに反応促進剤である水と反応させると、酸化変質油も金属ナトリウムと反応するため、図４に示すように金属ナトリウムの消費量が多くなる。酸化変質油を含むＰＣＢ微量混入絶縁油と金属ナトリウム、反応促進剤である水との代表的な反応は、次式で示される。さらに酸化変質油が金属ナトリウム、反応促進剤と反応し生成する鹸化物、炭酸塩、有機酸塩等は、絶縁油には溶解せずかつ極性が強いため金属面に付着し易く、これらが壁面に付着、成長しスケールとなることで種々のトラブルが発生する。
【００３０】
【化１】
0005425716.tif 000002
【００３１】
本実施形態に示すＰＣＢ混入絶縁油無害化処理設備１は、油浄化装置５０が回収絶縁油に含まれる酸化変質油を除去又は低減させ、従来のＰＣＢ混入絶縁油無害化処理で見られたトラブルを防止する。
【００３２】
油浄化装置５０は、回収油貯蔵タンク１７に貯蔵する回収絶縁油を浄化するための装置であり、回収絶縁油に含まれる酸化変質油のうち凝集した酸化変質油をろ過するフィルタ５２（５２ａ、５２ｂ）が収納されたろ過装置５４（５４ａ、５４ｂ）と、フィルタ５２を逆洗する逆洗装置５６を備える。
【００３３】
ろ過装置５４は２基設けられ、それぞれケーシング５３（５３ａ、５３ｂ）内にフィルタ５２（５２ａ、５２ｂ）を収納している。フィルタ５２は、ろ過する凝集した酸化変質油の大きさに適したフィルタを選択すればよいことは言うまでもないが、酸化変質油は凝集しやすいため大半が１μｍ以上に成長しているので、１μｍの大きさをろ過できるフィルタ５２を用いることで回収絶縁油に含まれる酸化変質油の大半をろ過することができる。ろ過装置５４は、公知のろ過装置を使用することができ、中でもスプリングフィルタ又はスプリングろ過器等は逆洗が容易なので好ましい。
【００３４】
ろ過装置５４は、油循環ポンプ５８が介装された油循環ライン６０を通じて、回収油貯蔵タンク１７と結ばれる。またろ過装置５４は、回収油貯蔵タンク１７に比べ高い位置に設置されており、ろ過装置５４内の回収絶縁油を全て抜き出し回収油貯蔵タンク１７に返送することができる油回収ライン６２（６２ａ、６２ｂ）、６３（６３ａ、６３ｂ）が設けられている。油循環ライン６０には２基のろ過装置５４ａ、５４ｂにそれぞれ回収絶縁油を単独に供給できるようにバルブが設けられている。油回収ライン６２（６２ａ、６２ｂ）、６３（６３ａ、６３ｂ）もそれぞれのろ過装置５４ａ、５４ｂ内の回収絶縁油を回収可能に設けられている。
【００３５】
逆洗装置５６は、ろ過装置５４に逆洗水を送る逆洗水供給手段と、フィルタ５２を逆洗した不純物を含む逆洗後の水を電気分解する電解装置６４とを備える。
【００３６】
電解装置６４と逆洗用水タンク６６とろ過装置５４とは、水循環ポンプ７０が介装された水循環ライン７２で結ばれ、水循環ポンプ７０が介装された水循環ライン７２が逆洗水供給手段として機能する。電解装置６４で電気分解された水を貯蔵する逆洗用水タンク６６は、ろ過装置５４に比べ低い位置に設置されており、逆洗に使用したろ過装置５４内の水を全て抜き出し逆洗用水タンク６６に返送することができる水回収ライン７４（７４ａ、７４ｂ）、７５（７５ａ、７５ｂ）が設けられている。水循環ライン７２には２基のろ過装置５４ａ、５４ｂにそれぞれ逆洗用の水を単独に供給できるようにバルブが設けられている。水回収ライン７４（７４ａ、７４ｂ）、７５（７５ａ、７５ｂ）もそれぞれのろ過装置５４ａ、５４ｂ内の逆洗水を回収可能に設けられている。
【００３７】
逆洗用の水には、電気分解により過酸化物が生成する電解質を含む水を使用する。このような電解質としてＮａ２ＳＯ４，Ｋ２ＳＯ４などの硫酸塩、Ｎａ２ＣＯ３，Ｋ２ＣＯ３などの炭酸塩、ＮａＣｌなどが例示され、水に溶解したとき中性を示すものが好ましい。Ｎａ２ＳＯ４，Ｋ２ＳＯ４などの硫酸塩、Ｎａ２ＣＯ３，Ｋ２ＣＯ３などの炭酸塩、ＮａＣｌなどを含む水を電解することで、ペルオキソ一硫酸（Ｈ２ＳＯ５）、過炭酸（Ｈ２ＣＯ３・３／２Ｈ２Ｏ２）などの過酸化物、次亜塩素酸（ＨＯＣｌ）が生成する。これら過酸化物、次亜塩素酸は、強い酸化作用を有するので、水に溶解した酸化変質油を酸化分解することができる。電解質として硫酸塩、炭酸塩等を添加せず、水に溶解した酸化変質油に含まれるカルボン酸等を利用することもできるが分解速度が遅いため、硫酸塩、炭酸塩等の電気分解により過酸化物が生成する電解質を添加することが好ましい。
【００３８】
電解装置６４は、電解電極７６と電解電極７６に電源を供給する電源供給装置（図示を省略）とを備える。電解電極７６は、電食防止のためのシールド型の電解電極であり、電源供給装置から所定の電圧が印加され、電解質を含む逆洗後の水を電気分解し過酸化物を生成させ、生成する過酸化物で水に含まれる酸化変質油を酸化分解する。
【００３９】
油浄化装置５０の運転要領の一例を示す。ろ過装置５４ａがろ過工程、ろ過装置５４ｂが逆洗工程であるとする。
【００４０】
回収油貯蔵タンク１７に貯蔵する回収絶縁油は、油循環ライン６０を通じてろ過装置５４ａにのみ供給される。ろ過装置５４ａに供給された回収絶縁油はフィルタ５２ａを外側から内側に通過し、回収絶縁油に含まれる凝集した酸化変質油がろ過される。酸化変質油がろ過され浄化された回収絶縁油は油循環ライン６０を通じて回収油貯蔵タンク１７に返送される。油循環ライン６０を介して回収油貯蔵タンク１７とろ過装置５４ａとの間を回収絶縁油を循環させることで回収絶縁油を浄化することができる。
【００４１】
ろ過装置５４ｂには、水循環ライン７２を通じて逆洗用水タンク６６から逆洗用の水が供給される。ろ過装置５４ｂに供給された逆洗用の水はフィルタ５２ｂを内側から外側に通過しフィルタ５２ｂを逆洗する。フィルタ５２ｂを逆洗した酸化変質油を含む水は、電解装置６４に送られ、ここで電気分解される。水には電解質が含まれ電気分解されることで過酸化物が生成し、水に含まれる酸化変質油は過酸化物で酸化分解される。電気分解後の水は、逆洗用水タンク６６に送られ循環使用される。洗浄が終了したろ過装置５４ｂは、水循環ライン７２が閉止され、続いて水回収ライン７４ｂ及び７５ｂを通じて、ろ過装置５４ｂ内の全ての水が逆洗用水タンク６６へ送られる。水回収ライン７４ｂ及び７５ｂは、ろ過装置５４ｂがろ過工程に入るまで開放し、ろ過装置５４ｂに付着する水を十分に排出する。ろ過装置５４ｂをろ過工程とするには、水回収ライン７４ｂ及び７５ｂを閉止し、油循環ライン６０を通じてろ過装置５４ｂに回収絶縁油を供給すればよい。
【００４２】
一方、フィルタ５２ａを逆洗するには、油循環ライン６０を閉止した後、油回収ライン６２ａ及び６３ａを通じて、ろ過装置５４ａ内の全ての回収絶縁油を回収油貯蔵タンク１７に送る。ろ過装置５４ａ内の全ての回収絶縁油が排出された後、油回収ライン６２ａ及び６３ａを閉止し、水循環ライン７２を通じて逆洗用水タンク６６から逆洗用の水を供給すればよい。
【００４３】
以上のように油浄化装置５０は、２基のろ過装置５４ａ、５４ｂを備えるので、一方のろ過装置５４ａ（５４ｂ）がろ過工程の間、他方のろ過装置５４ｂ（５４ａ）を逆洗工程としこれを交互に繰り返すことで連続的に油浄化を行うことができる。
【００４４】
基礎実験において、酸化変質油を含むＰＣＢ微量混入絶縁油をフィルタでろ過したところ、非常にきれいなＰＣＢ微量混入絶縁油が得られた。この油をロータリーエバポレータで減圧蒸留したところ、フラスコ内には殆ど残渣が見られなかった。一方、酸化変質油を含むＰＣＢ微量混入絶縁油をそのままロータリーエバポレータで減圧蒸留したところ、フラスコ内に比較的多くの褐色の残渣が認められた。また酸化変質油を含むＰＣＢ微量混入絶縁油をろ過した後、この油を金属ナトリウムと反応させたところ、ＰＣＢの分解に必要な金属ナトリウム量は、未処理の酸化変質油を含むＰＣＢ微量混入絶縁油に比較し減少した。なお、この基礎実験で、酸化変質油が付着したフィルタを電解質を含む水で洗浄できること、洗浄後の水を電気分解することで酸化変質油を分解できることを確認済みである。
【００４５】
上記基礎実験から分かるように油浄化装置５０で酸化変質油を含むＰＣＢ混入絶縁油を浄化することで、酸化変質油が低減され、従来、問題となっていたストレーナの閉塞を防止することができる。また酸化変質油に含まれる酸性成分も低減されるため従来、問題となっていた回収絶縁油を払出すラインの配管等の腐食を防止することができる。さらに金属ナトリウムの消費量を低減することができる。また従来問題となっていた反応槽２５の壁面に付着するスケールも酸化変質油が低減されるので抑制することができる。上記のように油浄化装置５０を備えるＰＣＢ混入絶縁油無害化処理設備１は、従来、酸化変質油を含むＰＣＢ混入絶縁油を処理するとき発生していたトラブル、設備及び運転に及ぼす悪影響を防止又は抑制することができるので、ＰＣＢ混入絶縁油の無害化処理を安定的に行うことができる。
【００４６】
また油浄化装置５０は、フィルタ５２を逆洗した水も、水に含まれる酸化変質油を酸化分解し循環使用するので廃棄物、廃液及び排水が排出されない。ＰＣＢを取り扱う装置、設備の場合、系外に排出される物にＰＣＢが付着していないか又はＰＣＢで汚染されていないかが問題となるが、油浄化装置５０は、廃棄物、廃液及び排水を排出しないのでこのような心配は不要である。なお、本発明は上記実施形態に限定されるものではなく、要旨を変更しない範囲で変更可能である。例えば上記実施形態では、逆洗水をろ過装置５４の上方から供給したが、下方から供給するようにしてもよい。
【符号の説明】
【００４７】
１  ＰＣＢ混入絶縁油無害化処理設備
２  絶縁油回収装置
３  無害化処理装置
１１  真空加熱炉
１３  凝縮器
１５  油水分離器
１７  回収油貯蔵タンク
１９  タンクローリー
２１  処理タンク
２３  減圧蒸留槽
２５  反応槽
２７  分解確認槽
２９  サンプリングライン
３１  抽出中和槽
３３  油水分離槽
３５  洗浄水再生設備
３７  油相
３９  水相
４１  処理済油タンク
４３  乾燥機
４５  静置分離水受槽
４７  凝縮器
４９  凝縮水槽
５０  油浄化装置
５２、５２ａ、５２ｂ  フィルタ
５４、５４ａ、５４ｂ  ろ過装置
５６  逆洗装置
５８  油循環ポンプ
６０  油循環ライン
６２、６２ａ、６２ｂ油回収ライン
６３、６３ａ、６３ｂ油回収ライン
６４  電解装置
６６  逆洗用水タンク
７０  水循環ポンプ
７２  水循環ライン
７４、７４ａ、７４ｂ  水回収ライン
７５、７５ａ、７５ｂ  水回収ライン
７６  電解電極
【図１】
0005425716.tif 000003
【図２】
0005425716.tif 000004
【図３】
0005425716.tif 000005
【図４】
0005425716.tif 000006